(57)【要約】【課題】折り畳み式携帯電話機を大きなものとする必要が生じたり、重量を増やしたりすることなく、様々な使用状態において、良好な音圧、音質で音声を使用者に伝達することができるようにする。【解決手段】下側筐体1と上側筐体２を折り畳んだり開いたりできるように互いに揺動可能に連結するヒンジ６は、揺動軸線と同軸の円筒状部を有している。ヒンジ６の円筒状部には、スピーカ３からの音声を外部に放音するための２つのスピーカ音孔７−ａ，７−ｂが形成されている。スピーカ音孔７−ａと７−ｂは、円筒状部の周方向に互いに離れた位置にある。スピーカ音孔７−ａは、携帯電話機を完全に折り畳んだ状態で、外面に露出する。スピーカ音孔７−ｂは、携帯電話機を途中まで折り畳んでも、正面側に露出した状態に保たれる。【選択図】図１
2005151319.tif 000002
【特許請求の範囲】
【請求項１】
上側筐体と下側筐体とを有し、前記上側筐体と前記下側筐体とは、折り畳んで両者の正面側が内側で互いに向かい合った状態と、開いて両者の正面側が並んだ状態との間で互いに揺動可能にヒンジによって連結された折り畳み式携帯電話機であって、
前記ヒンジは、揺動軸線と同軸の円筒状部を有し、該円筒状部には、共通の音声発生手段からの音声を外部に放音する少なくとも２つの音孔が周方向に互いに離れた位置に形成されており、前記音孔は、前記上側筐体と前記下側筐体を完全に折り畳んだ状態で外面に露出するものと、前記上側筐体と前記下側筐体を途中まで折り畳んだ状態で正面側に露出するものとを含んでいる折り畳み式携帯電話機。
【請求項２】
前記音孔は、前記上側筐体と前記下側筐体を完全に折り畳んだ状態で外面に露出し、かつ、前記上側筐体と前記下側筐体を完全に開いた状態で正面側に露出するものを含んでいる、請求項１に記載の折り畳み式携帯電話機。
【請求項３】
前記音孔は、前記上側筐体と前記下側筐体を実質的に完全に折り畳まない限り正面側に露出するものを含んでいる、請求項１または２に記載の折り畳み式携帯電話機。
【請求項４】
前記ヒンジの、前記音孔が形成された前記円筒状部は、内部の空洞が前記上側筐体または前記下側筐体内の空間につながっており、前記音声発生手段は、前記上側筐体または前記下側筐体内の、前記円筒状部内の前記空洞に通じる通路が確保された位置に配置されている、請求項１から３のいずれか１項に記載の折り畳み式携帯電話機。
【請求項５】
前記音声発生手段の周囲には、前記ヒンジの前記円筒状部側以外の方向への音を遮蔽する部材が設けられている、請求項４に記載の折り畳み式携帯電話機。
【請求項６】
前記ヒンジは、前記上側筐体と前記下側筐体とのそれぞれに一体に、揺動軸線方向に断続的に形成された複数の円筒状部が、同軸に、かつ前記上側筐体と前記下側筐体とのそれぞれに一体に形成されたものが揺動軸線方向に交互に位置する構成になっており、前記音孔は共通の前記円筒状部に形成されている、請求項１から５のいずれか１項に記載の折り畳み式携帯電話機。
【発明の詳細な説明】
【技術分野】
【０００１】
本発明は、外部の離れた位置に伝達するための音声を発生する音声発生手段を備える折り畳み式携帯電話機に関する。
【背景技術】
【０００２】
従来より、携帯電話機には、携帯電話を耳にあてて通話する時に、通話音を出力するスピーカの他、耳にあてていなくても聞こえるように着信音を出力するスピーカが設けられている。また、近年ではスピーカの代わりにサウンダが用いられる場合もある。このようなスピーカやサウンダは、通常、携帯電話機の筐体内に内蔵されており、出力音が外部に伝わりやすくするために、携帯電話機の筐体には、通常、所定の位置にスピーカ音孔が形成されている。
【０００３】
携帯電話機には、２つの筐体がヒンジで連結され、両者が並ぶように開いた状態と、両者が重なるように折り畳んだ状態とにすることができる折り畳み式の携帯電話機がある。折り畳み式携帯電話機には、通常、一方の筐体の正面にフロント表示部が設けられ、他方の筐体に操作キーが設けられ、折り畳んだ状態では、これらが設けられた、両者の表側同士が向かい合って内側に位置するようになっている。
【０００４】
従来、折り畳み式携帯電話機では、折り畳んだ状態でも外部から音を聞き取れるように、フロント液晶表示部と反対側などの、折り畳んだ状態で外面に露出する背面側にスピーカ音孔が設けられている。
【特許文献１】特開２００３−５１８７１号公報
【特許文献２】特開平７−１３１８４９号公報
【特許文献３】特開２００１−３０９０００号公報
【発明の開示】
【発明が解決しようとする課題】
【０００５】
しかしながら、折り畳み式電話機において、開いて操作などをしている状態で音声が出力された際、背面の音孔から出力された音をその反対側の正面から聞いたのでは、音孔のある側から音を聞いた場合に比べて、音圧の劣化および音質の低下が生じてしまう。これについて、本発明者が実験した結果を図９に示す。図９において、実線は、正面側にスピーカ音孔を形成して、スピ−カからの出力音の音圧を正面側から測定した結果を示しており、破線は、背面側にスピーカ音孔を形成して測定した結果を示している。図９から、ほぼ全ての周波数の音声について、スピーカ音孔を背面側に形成した場合には、正面側に形成した場合に比べて音圧が低下し、特に、特定の周波数の音声について音圧が大きく低下してしまう場合があることが分かる。最近の携帯電話機では、着信音が高音質化されてきており、このような音圧、音質の低下は、特に、このように高音質の音声を出力しようとした場合に、大きなデメリットとなってしまうことがある。
【０００６】
また、最近の携帯電話機には、テレビ電話機能や動画再生機能を備えるものがあり、このような携帯電話機では、通常、画像の出力と共に、それに伴う音声が出力され、この音声の出力にも着信音の出力用のスピーカやサウンダが用いられている。この場合、使用者は、正面の表示部に表示される画像を見ながら音声を聞くことになり、すなわち、やはり、背面の音孔から出力された音を正面側から聞くことになるため、出力音の音圧、音質の劣化が生じてしまう。
【０００７】
これに対して、特許文献１や２には、複数のスピーカを設け、携帯電話機の使用状態に応じて使用するスピーカを変える構成が示されている。しかしながら、このような構成では、スピーカの数が増えるため、携帯電話機を大きなものとする必要が生じたり、重量が増えてしまったりする。
【０００８】
そこで、本発明の目的は、折り畳み式携帯電話機を大きなものとする必要が生じたり、重量を増やしたりすることなく、様々な使用状態において、出力音の音圧や音質の低下を回避して、良好な音圧、音質で音声を使用者に伝達することができる折り畳み式携帯電話機を提供することにある。
【課題を解決するための手段】
【０００９】
上述の目的を達成するため、本発明の折り畳み式携帯電話機は、上側筐体と下側筐体とを有し、上側筐体と下側筐体とは、折り畳んで両者の正面側が内側で互いに向かい合った状態と、開いて両者の正面側が並んだ状態との間で互いに揺動可能にヒンジによって連結された折り畳み式携帯電話機であって、ヒンジは、揺動軸線と同軸の円筒状部を有し、該円筒状部には、共通の音声発生手段からの音声を外部に放音する少なくとも２つの音孔が周方向に互いに離れた位置に形成されており、音孔は、上側筐体と下側筐体を完全に折り畳んだ状態で外面に露出するものと、上側筐体と下側筐体を途中まで折り畳んだ状態で正面側に露出するものとを含んでいることを特徴とする。
【００１０】
この構成によれば、携帯電話機を手に持ってテレビ電話機能や動画再生機能を利用する場合など、携帯電話機を完全に開いた状態で使用する場合には、携帯電話機を途中まで折り畳んだ状態で正面側に露出する音孔から音声が放音される。また、携帯電話機を机上においてテレビ電話機能や動画再生機能を利用する場合など、携帯電話機を、表示が見やすくするなどの目的で途中まで折り畳んだ状態で使用する場合にも、携帯電話機を途中まで折り畳んだ状態で正面側に露出する音孔から音声が放音されるようにすることができる。したがって、これらのいずれの場合にも、正面側に位置する使用者に、音圧や音質の低下を生じることなく音声を伝達することができる。さらに、携帯電話機を持ち運ぶ際など、携帯電話機を完全に折り畳んだ状態にした場合に、着信音などが出力される際には、音声は、携帯電話機を完全に折り畳んだ状態で外面に露出する音孔から放音される。したがって、この場合にも、外部に、音圧や音質の低下を生じることなく音声を出力することができる。また、この構成では、音声発生手段としては、共通のものを１つ用いればよく、携帯電話機を大きなものとする必要が生じたり、重量が増えてしまったりすることもない。
【００１１】
本発明において、音孔としては、携帯電話機を完全に折り畳んだ状態で外面に露出し、かつ、携帯電話機を完全に開いた状態で正面側に露出するものを設けるのが好ましい。このような音孔によって、携帯電話機を完全に開いた状態での、正面側に位置する使用者への良好な音声の伝達と、完全に閉じた状態での、外部への良好な音声の出力との両方を実現することができる。
【００１２】
また、音孔として、携帯電話機を実質的に完全に折り畳まない限り正面側に露出するものを設けるのも好ましい。それによって、携帯電話機を途中まで折り畳んだ任意の使用状態で、正面側に位置する使用者への良好な音声の伝達を実現することができる。
【００１３】
ヒンジの、音孔が形成された円筒状部は、内部の空洞が上側筐体または下側筐体内の空間につながった構成とすることができ、この場合、音声発生手段は、上側筐体または下側筐体内の、円筒状部内の空洞に通じる通路が確保された位置に配置すれば、音声発生手段からの音声を各音孔から良好に放音させることができる。また、この場合、音声発生手段の周囲に、ヒンジの円筒状部側以外の方向への音を遮蔽する部材を設ければ、音孔側以外への音漏れを防いで、音孔側に効率的に音声を伝達することができる。
【００１４】
ヒンジは、上側筐体と下側筐体とのそれぞれに一体に、揺動軸線方向に断続的に形成された複数の円筒状部が、同軸に、かつ上側筐体と下側筐体とのそれぞれに一体に形成されたものが揺動軸線方向に交互に位置する構成とすることができ、この場合、音孔は共通の円筒状部に形成するのが好ましい。それによって、単一の音声発生手段から効率的に各音孔に音声を伝達することができる。
【発明の効果】
【００１５】
本発明の折り畳み式携帯電話機によれば、様々な使用状態において、良好な音質、音圧で音声を使用者に伝達することができる。すなわち、携帯電話機を開いた状態では、正面側に露出する音孔から音声を放音することによって、正面側に位置する使用者に、背面側に音孔がある場合のように音圧や音質の低下を生じることなく、音声を伝達することができ、なおかつ、携帯電話機を折り畳んだ状態で、外面に露出する音孔から音声を放音することによって、音圧や音質の低下を生じることなく、外部に音声を出力することができる。この際、各音孔は、共通の音声発生手段からの音声を放音する構成とすることができ、携帯電話機を大きなものとする必要が生じたり、重量が増えてしまったりすることはない。
【発明を実施するための最良の形態】
【００１６】
以下、図面を参照して本発明の実施の形態について説明する。
【００１７】
本実施形態の折り畳み式携帯電話機の模式図を図１〜４に示す。図１〜３は、本実施形態の折り畳み式携帯電話機の要部を透視して示す側面図であり、それぞれ異なる使用状態を示している。図４は、本実施形態の携帯電話機の平面図であり、図４（ａ）は開いた状態、図４（ｂ）は折り畳んだ状態を示している。
【００１８】
この折り畳み式携帯電話機は、下側筐体１と上側筐体２を有し、下側筐体１と上側筐体２とは、ヒンジ６によって互いに揺動可能に連結されている。ヒンジ６は、下側筐体１と上側筐体２のそれぞれに一体に、図４から分かるように、幅方向、すなわち揺動軸線方向に断続的に形成された複数の円筒状部が、同軸に、かつ下側筐体１と上側筐体２のそれぞれに一体に形成されたものが揺動軸線方向に交互に位置し、隣接するもの同士が係合して構成されている。
【００１９】
下側筐体１には、使用者が必要に応じて電話番号や文字情報を入力するためのキー３０が設けられている。上側筐体２には、様々な情報を表示するフロント液晶部８が設けられている。下側筐体１と上側筐体２は、ヒンジ６の周りに互いに揺動させて、図３に示すように、キー３０が設けられた面と、フロント液晶部８が設けられた面とを向かい合わせて折り畳むことができる。図１，２に示すように開いた状態では、フロント液晶部８とキー３０が同じ側に面し、フロント液晶部８を見ながら、キー入力を実施可能になっており、通常、この側が正面側と呼ばれ、反対側が背面側と呼ばれる。
【００２０】
下側筐体１には、さらに、背面側に電池４０が設けられており、ヒンジ６の近くにスピーカ３が設けられている。図示しているスピーカ３は、着信音を鳴らして相手から着信があったことを知らせたり、ＴＶ電話機能を利用する場合に相手からの音声を出力したり、動画再生時に、動画に伴う音声を出力したりするのに用いられるものである。また、上側筐体２には、上方に向かって突出させることができるアンテナ２０が設けられている。図示していないが、この折り畳み式携帯電話機は、さらに、通常の通話時に相手の音声を出力するスピーカや、通話時などに利用者の音声を入力するためのマイクなどを有することができる。
【００２１】
また、下側筐体１と上側筐体２には、それぞれプリント基板５，９が設けられている。図示していないが、プリント基板５と９は、両者間で電気信号を伝送するためにフレキシブル基板によって接続されており、ヒンジ６には、このフレキシブル基板を通す孔が形成されている。詳細には図示していないが、プリント基板５，９には、各部から信号を受信し、各部の動作を制御するコンピュータが実装されており、これと各部を接続する回路や各種の素子が搭載されている。
【００２２】
本実施形態では、ヒンジ６の、下側筐体１と一体に形成された円筒状部の１つに、周方向に互いに離れた位置にスピーカ音孔７−ａと７−ｂが形成されている。したがって、携帯電話機を開いたり、折り畳んだりする際、スピーカ音孔７−ａ，７−ｂは、下側筐体１に対する位置は変化せず、上側筐体２に対する位置が変化する。そして、スピーカ音孔７−ａは、図１に示すように、携帯電話機を完全に開いた状態では、正面側で、上側筐体２の正面の下端に近い位置に露出し、かつ、図３に示すように、携帯電話機を完全に折り畳んだ状態にすると、外側に露出する位置に形成されている。一方、スピーカ音孔７−ｂは、図１に示すように、携帯電話機を完全に開いた状態で、正面側で、下側筐体２の正面の上端に近い位置に露出し、携帯電話機を折り畳んでいっても、実質的に完全に折り畳まない限り、正面側に露出したままとなる位置に形成されている。
【００２３】
スピーカ音孔７−ａ，７−ｂは、円筒状部の中心の空洞を介してつながっている。スピーカ音孔７−ａ，７−ｂが形成された円筒状部は、中心の空洞が下側筐体１の内部の空間に通じるように形成されており、スピーカ３の出力部からこの円筒状部内の空洞へ通じる、遮るもののない通路が確保されている。スピーカ３の周りには、遮音用のクッション４が、キー３０側や電池４０側などに音漏れしないように配置されており、それによって、ヒンジ６の、スピーカ音孔７−ａ，７−ｂが形成された円筒状部側に効率的に音が伝わるようになっている。
【００２４】
この携帯電話機の使用形態を考えると、例えば、携帯電話機を手に持ってＴＶ電話機能や動画再生機能を利用する場合、使用者は、通常、図１に示すように、携帯電話機を完全に開き、フロント液晶部８に表示された画像を見ながら音声を聞くことになる。この状態では、スピーカ音孔７−ａ，7−ｂは、両方とも正面側に露出し、すなわち、使用者側に開口している。したがって、スピーカ３から出力された音声は、正面側に露出するスピーカ音孔７−ａ，７−ｂの双方を通って放音され、このため、正面側に位置する使用者に、音圧や音質の低下を生じることなく伝達される。
【００２５】
次に、例えば、携帯電話機を机上に置いた状態でＴＶ電話機能や動画再生機能を利用する場合、使用者は、フロント液晶部８が見やすくなるように、上側筐体２を少し立てた状態で使用する場合が考えられる。この場合には、図２に示すように、スピーカ音孔７−ａは、下側筐体１の、スピーカ音孔７−ａ，７−ｂが形成された円筒状部と嵌合するように凹状になった、上側筐体２の下端部の部分によって覆われる場合がある。一方、スピーカ音孔７−ｂは、上側筐体２を立てた状態としても、前述のように、携帯電話機をほぼ完全に折り畳まない限りは、正面側に露出した状態に保たれる。したがって、このように上側筐体２を立てた状態とし、すなわち途中まで折り畳んだ状態としても、スピーカ３から出力された音声は、正面側に露出した、少なくともスピーカ音孔７−ａを通って放音され、このため、正面側に位置する使用者に、音圧や音質の低下を生じることなく伝達される。この際、スピーカ音孔７−ｂが上側筐体２の下端部によって覆われた状態になった場合、スピーカ音孔７−ｂからの放音は、上側筐体２によって抑えられ、それによって、音声をスピーカ音孔７−ｂ側から効率的に放音させることができる。
【００２６】
次に、例えば、携帯電話機を直接使用せずに持ち運ぶ場合、携帯電話機は、通常、図３に示すように完全に折り畳まれた状態にされる。この際、携帯電話機は、電源を切らずに待ち受けの状態とし、設定に応じて、電話やメールを着信した際に着信音を出力する状態とすることができる。この際、このように携帯電話機を完全に折り畳んだ状態では、スピーカ音孔７−ｂは、上側筐体２の下端部によって覆われた状態となるが、スピーカ音孔７−ａは外面に露出した状態になる。したがって、この状態でスピーカ３から出力された着信音などの音声は、スピーカ音孔７−ａを通って、音圧や音質の低下を生じることなく外部に向かって放音される。この際、スピーカ音孔７−ｂからの放音は、上側筐体２の下端部によって覆われることによって抑えられ、それによって、音声をスピーカ音孔７−ａ側から効率的に放音させることができる。
【００２７】
以上のように、本実施形態の折り畳み式携帯電話機では、想定される様々な使用状態において、スピーカ音孔７−ａ，７−ｂの少なくとも一方が使用者側に向かって開口した状態となり、したがって、スピーカ３からの音声を、音圧や音質の低下を生じることなく使用者に伝達することができる。また、本実施形態の構成では、このように、様々な使用状態で、使用者に向かって音声を出力するのに、複数のスピーカを用いる必要はなく、携帯電話機を大きなものとする必要が生じたり、重量が増えてしまったりすることもない。
【００２８】
なお、本実施形態は、本発明を例示するものであり、本発明の範囲内で種々の変形が可能である。例えば、離れた位置から聞くための音声を発生する音声発生手段としては、スピーカ３の代わりにサウンダを用いてもよい。また、音声出力手段の配置位置も、ヒンジ６の、音孔が形成された円筒状部内に効率的に音声を伝達できる範囲で、種々の位置とすることができる。
【００２９】
また、スピーカ音孔７−ａ，７−ｂの位置は種々の位置に変更することができる。例えば、スピーカ音孔７−ｂの位置は、上側筐体２が下側筐体１に対して直角に位置する状態よりも深く折り畳んで使用されることはないと考えて、深く折り畳んだ場合には、上側筐体２の下端部によって覆われる位置に配置してもよいし、あるいは、フロント液晶部８の表示を確認できる、折り畳みの範囲を考慮して、配置位置を決めてもよい。また、音孔は、２つに限られることはなく、さらに多数設けてもよい。いずれにしても、スピーカ音孔としては、携帯電話機を完全に折り畳んだ状態で外面に露出するものと、途中まで折り畳んだ状態で表面側に露出するものとを含む、ヒンジ６の円筒状部の、周方向に互いに離れた位置に配置された少なくとも２つを設ければ、様々な使用状態において、音孔の少なくとも１つが使用者側に向かって開口した状態となり、あるいは、完全に折り畳んだ状態では外面に露出するようにして、良好な音圧、音質での音声の伝達を可能とすることができる。
【００３０】
また、音孔は、図５〜８に示すように、下側筐体１１と上側筐体１２を連結するヒンジ１６の、上側筐体１２に一体に形成された円筒状部に形成してもよい。この変形例では、音孔としては、図５に示すように携帯電話機を完全に開いた状態で、正面側の、下側筐体１１の正面の上端寄りの位置に位置するスピーカ音孔１７−ａと、上側筐体１２の正面の下端寄りの位置に位置するスピーカ音孔１７−ｂが設けられている。スピーカ３は、上側筐体１２の下端部の、ヒンジ１６を形成する、スピーカ音孔１７−ａ，１７−ｂが形成された円筒状部に近い位置に配置され、スピーカ３からこの円筒状部の内部の空洞に通じる、遮るもののない通路が確保されている。
【００３１】
この変形例において、図５に示すように、携帯電話機を完全に開いた状態では、スピーカ音孔１７−ａ，１７−ｂは正面側に露出する。図６に示すように、携帯電話機を途中まで折り畳んだ状態では、スピーカ音孔１７−ａは、上側筐体１２の、スピーカ音孔１７−ａ，１７−ｂが形成された円筒状部と嵌合するように凹状になった、下側筐体１１の上端部の部分によって覆われることがあるが、スピーカ音孔１７−ｂは正面側に露出した状態に保たれる。また、図７に示すように、携帯電話機を完全に折り畳んだ状態では、スピーカ音孔１７−ｂは、下側筐体１１によって覆われた状態になるが、スピーカ音孔１７−ａは外面に露出した状態になる。
【００３２】
このように、この変形例においても、想定される様々な使用状態において、スピーカ音孔１７−ａ，１７−ｂの少なくとも一方は、使用者側に開口し、あるいは、完全に折り畳んだ状態では外面に露出する。したがって、様々な使用状態において、音圧、音質の低下を招くことなく、スピーカ３の出力音声を使用者に伝えることができる。
【図面の簡単な説明】
【００３３】
【図１】本発明の実施形態の折り畳み式携帯電話機の要部を透視して示す側面図であり、携帯電話機を完全に開いた状態を示している。
【図２】図１の折り畳み式携帯電話機の、途中まで折り畳んだ状態の側面図である。
【図３】図１の折り畳み式携帯電話機の、完全に折り畳んだ状態の側面図である。
【図４】図１の折り畳み式携帯電話機の平面図であり、図４（ａ）は開いた状態、図４（ｂ）は折り畳んだ状態を示している。
【図５】図１の変形例の折り畳み式携帯電話機の、開いた状態の側面図である。
【図６】図５の折り畳み式携帯電話機の、途中まで折り畳んだ状態の側面図である。
【図７】図５の折り畳み式携帯電話機の、完全に折り畳んだ状態の側面図である。
【図８】図５の折り畳み式携帯電話機の平面図であり、図８（ａ）は開いた状態、図８（ｂ）は折り畳んだ状態を示している。
【図９】音孔を背面側に形成した場合と正面側に形成した場合との、正面側に伝達される音の音圧の違いを示すグラフである。
【符号の説明】
【００３４】
１，１１    下側筐体
２，１２    上側筐体
３    スピーカ
４    クッション
５，９    プリント基板
６，１６    ヒンジ
７−ａ，７−ｂ，１７−ａ，１７−ｂ    スピーカ音孔
８    フロント液晶部
２０    アンテナ
３０    キー
４０    電池
【図１】
2005151319.tif 000003
【図２】
2005151319.tif 000004
【図３】
2005151319.tif 000005
【図４】
2005151319.tif 000006
【図５】
2005151319.tif 000007
【図６】
2005151319.tif 000008
【図７】
2005151319.tif 000009
【図８】
2005151319.tif 000010
【図９】
2005151319.tif 000011